(57)【要約】【課題】  簡単に組み合わせ角度を位置決めすることができるレンチを提供することを課題とする。【解決手段】駆動ヘッドと、ハンドル部とを含み、駆動ヘッドが外周面に凸凹面を具えた枢接部を設け、枢接部には貫通孔が形成され、ハンドル部が前方端縁部に凹溝を具え、凹溝の両側の突出した凸部には穿孔を形成し、枢接桿を穿孔と貫通孔に穿設するとハンドル部と駆動ヘッドが枢接され、凹溝の底部にガイド孔と、孔が形成され、孔にはバネと押圧桿を設け、係止ブロックが両端をそれぞれ第一端と、第二端とし、第一、第二端には第一斜面と、第二斜面が互いに９０度異なる方向に形成され、斜面を呈するガイド面が係止ブロックの底端の第二斜面の位置に設けられ、係止ブロックの上端に形成された第一斜面を駆動すると、駆動ヘッドの凸凹面に正確に噛合する構造からなる。【選択図】  図５
0003160087.tif 000002
【実用新案登録請求の範囲】
【請求項１】
駆動ヘッドと、ハンドル部とを含んでなり、
該駆動ヘッドが、外周面の一側面に環状に排列した凸凹面を具えた枢接部を有してなり、
該ハンドル部が、前方端縁部に枢接するための凹溝を有し、枢接部に枢接するために供し、該枢接部が駆動ヘッド側面から横方向に形成された貫通孔を有し、該凹溝が両側の突出した凸部上に該貫通孔に対応する穿孔を有し、枢接桿を穿孔と貫通孔に穿設してハンドル部と駆動ヘッドとを枢接して組み合わせ、凹溝の底部には垂直な長手方向にガイド孔を有し、該ガイド孔は係止ブロックを設けて滑動するために供し、該ガイド孔がハンドル部の側面から横向きに深い孔を有し、該孔にはバネと押圧桿を有し、該押圧桿の外周面に斜面を呈したガイド面を凹設し、
該係止ブロックが円形の桿体で、両端に第一端と、第二端とを有し、該第一、第二端のいずれにも斜面を具えて尖った状態の第一斜面と、第二斜面を互いに９０度向きを変えて縦と横に有し、斜面を呈するガイド面が係止ブロックの底端の第二斜面の位置に有し、係止ブロックの上端に形成された第一斜面を駆動すると、駆動ヘッドの凸凹面に噛合することを特徴とするレンチ。
【請求項２】
前記押圧桿のガイド面に対向する側に斜面を具えたガイド面を有し、該ガイド面とガイド面との間には凹部を有し、ガイド面と第二斜面の両斜面は同じ傾斜度を具えてなり、押圧桿に圧力を加えると、第二斜面の先端が凹部に位置し、且つガイド面が係止ブロックの第二斜面の斜面に貼着してガイドされ、第一斜面の先端が凸凹面の歯型溝に平行に位置することを特徴とする請求項１に記載のレンチ。
【考案の詳細な説明】
【技術分野】
【０００１】
この考案は、レンチであって、特にネジやナットの取り付け位置決めなどに使用するレンチに関する。
【背景技術】
【０００２】
図１から図３は、従来のレンチを示した説明図である。
【０００３】
図面によれば、レンチは駆動ヘッド１０と、ハンドル部２０とを含んでなる。
【０００４】
該駆動ヘッド１０は、外周縁部に設けられた枢接部１１と、該枢接部１１に環状に排列して設けられた凸凹面１２とを含んでなる。
【０００５】
該ハンドル部２０は、前方端縁部に該枢接部１１に枢接するために供する凹部２１を設けてなる。
【０００６】
該枢接部１１には横向きに貫通した貫通孔１１１を設けてなり、該凹部２１は両側に突出した凸部に該貫通孔１１１に対応した位置に孔２２を設けてなる。
【０００７】
よって、枢接桿３０を孔２２と貫通孔１１１に貫通して穿設すると、ハンドル部２０と、駆動ヘッド１０とが回転自在に接続される。
【０００８】
該凹部２１の底部には、垂直な長手方向に設けられたガイド孔２４と、該ガイド孔２４に貫通した横向きの横孔２３が設けられる。
【０００９】
該ガイド孔２４には桿状の係止ブロック１３を滑動して設ける。該横孔２３はハンドル部２０の側面から横向きに、ガイド孔２４を越える深さに形成される。
【００１０】
該横孔２３は、バネ３１と、押圧桿３２とを設けてなる。
【００１１】
該押圧桿３２は外周面に斜面を呈したガイド面３２１を凹設する。該係止ブロック１３底端の円形ヘッド端１３１が該ガイド面３２１に対応して設けられる。
【００１２】
よって、係止ブロック１３を駆動すると、係止ブロック１３のもう一方の端縁部に形成された噛合端１３２が駆動ヘッド１０の凸凹面１２に噛合される。
【００１３】
しかしながら、従来のレンチは、係止ブロック１３の一端に円形ヘッド端１３１が設けられ、他端に噛合端１３２が設けられ、ガイド孔２４に嵌合する場合、必ず正しい方向を選択しなければならないが、選択を誤り易い。
【００１４】
また、従来のレンチは、係止ブロック１３の円形ヘッド端１３１と、ガイド面３２１とを組み合わせる場合、何も正しい位置に組み合わせるためのガイド構造がないため、噛合端１３２を凸凹面１２に噛合することが難しい。
【００１５】
さらに、従来のレンチは押圧桿３２で押し圧して係止ブロック１３を駆動して移動すると、係止ブロック１３の噛合端１３２と凸凹面１２とが平行にならず、角度を位置決めすることができない。
【考案の開示】
【考案が解決しようとする課題】
【００１６】
この考案は、簡単に組み合わせ角度を位置決めすることができるレンチを提供することを課題とする。
【課題を解決するための手段】
【００１７】
そこで、本考案者は従来の技術に見られる欠点に鑑みて鋭意研究を重ねた結果、駆動ヘッドと、ハンドル部とを含んでなり、
該駆動ヘッドが、外周面の一側面に環状に排列した凸凹面を具えた枢接部を設けてなり、
該ハンドル部が、前方端縁部に枢接するための凹溝を形成し、枢接部に枢接するために供し、該枢接部が駆動ヘッド側面から横方向に形成された貫通孔を設けてなり、該凹溝が両側の突出した凸部上に該貫通孔に対応する穿孔を設けてなり、枢接桿を穿孔と貫通孔に穿設してハンドル部と駆動ヘッドとを枢接して組み合わせ、凹溝の底部には垂直な長手方向にガイド孔を設けてなり、該ガイド孔は係止ブロックを設けて滑動するために供し、該ガイド孔がハンドル部の側面から横向きに深い孔が形成され、該孔にはバネと押圧桿を設けられ、該押圧桿の外周面に斜面を呈したガイド面を凹設し、
該係止ブロックが円形の桿体で、両端に第一端と、第二端とが形成され、該第一、第二端のいずれにも斜面を具えて尖った状態の第一斜面と、第二斜面を互いに９０度向きを変えて縦と横に設けてなり、斜面を呈するガイド面が係止ブロックの底端の第二斜面の位置に設けられ、係止ブロックの上端に形成された第一斜面を駆動すると、駆動ヘッドの凸凹面に正確に噛合できる構造からなるレンチによって課題を解決できる点に着眼し、かかる知見に基づいて本考案を完成させた。
【００１８】
以下、この考案について具体的に説明する。
請求項１に記載するレンチは、駆動ヘッドと、ハンドル部とを含んでなり、
該駆動ヘッドが、外周面の一側面に環状に排列した凸凹面を具えた枢接部を設けてなり、
該ハンドル部が、前方端縁部に枢接するための凹溝を形成し、枢接部に枢接するために供し、該枢接部が駆動ヘッド側面から横方向に形成された貫通孔を設けてなり、該凹溝が両側の突出した凸部上に該貫通孔に対応する穿孔を設けてなり、枢接桿を穿孔と貫通孔に穿設してハンドル部と駆動ヘッドとを枢接して組み合わせ、凹溝の底部には垂直な長手方向にガイド孔を設けてなり、該ガイド孔は係止ブロックを設けて滑動するために供し、該ガイド孔がハンドル部の側面から横向きに深い孔が形成され、該孔にはバネと押圧桿を設けられ、該押圧桿の外周面に斜面を呈したガイド面を凹設し、
該係止ブロックが円形の桿体で、両端に第一端と、第二端とが形成され、該第一、第二端のいずれにも斜面を具えて尖った状態の第一斜面と、第二斜面を互いに９０度向きを変えて縦と横に設けてなり、斜面を呈するガイド面が係止ブロックの底端の第二斜面の位置に設けられ、係止ブロックの上端に形成された第一斜面を駆動すると、駆動ヘッドの凸凹面に正確に噛合できる構造からなる。
【００１９】
請求項２に記載のレンチは、請求項１における押圧桿のガイド面に対向する側に斜面を具えたガイド面を設けてなり、該ガイド面とガイド面との間には凹部が形成され、ガイド面と第二斜面の両斜面は同じ傾斜度を具えてなるため、押圧桿に圧力を加えると、第二斜面の先端がちょうど凹部に設けられ、且つガイド面がちょうど係止ブロックの第二斜面の斜面に貼着して正しくガイドされ、第一斜面の先端が凸凹面の歯型溝に平行に設けられる。
【考案の効果】
【００２０】
この考案のレンチは、構造が簡単であるため生産効率と利益を高めるという効果を有する。
【考案を実施するための形態】
【００２１】
この考案は、簡単に組み合わせ角度を位置決めすることができるレンチであって、駆動ヘッドと、ハンドル部とを含んでなり、
該駆動ヘッドが、外周面の一側面に環状に排列した凸凹面を具えた枢接部を設けてなり、
該ハンドル部が、前方端縁部に枢接するための凹溝を形成し、枢接部に枢接するために供し、該枢接部が駆動ヘッド側面から横方向に形成された貫通孔を設けてなり、該凹溝が両側の突出した凸部上に該貫通孔に対応する穿孔を設けてなり、枢接桿を穿孔と貫通孔に穿設してハンドル部と駆動ヘッドとを枢接して組み合わせ、凹溝の底部には垂直な長手方向にガイド孔を設けてなり、該ガイド孔は係止ブロックを設けて滑動するために供し、該ガイド孔がハンドル部の側面から横向きに深い孔が形成され、該孔にはバネと押圧桿を設けられ、該押圧桿の外周面に斜面を呈したガイド面を凹設し、
該係止ブロックが円形の桿体で、両端に第一端と、第二端とが形成され、該第一、第二端のいずれにも斜面を具えて尖った状態の第一斜面と、第二斜面を互いに９０度向きを変えて縦と横に設けてなり、斜面を呈するガイド面が係止ブロックの底端の第二斜面の位置に設けられ、係止ブロックの上端に形成された第一斜面を駆動すると、駆動ヘッドの凸凹面に正確に噛合できる構造からなることを特徴とするレンチの構造と特徴を詳述するために具体的な実施例を挙げ、図示を参照にして以下に説明する。
【実施例】
【００２２】
図４、図５は、この考案のレンチを示した説明図である。
【００２３】
この考案のレンチは、駆動ヘッド４０と、ハンドル部５０とを含んでなる。
【００２４】
該駆動ヘッド４０は、外周面の一側面に環状に排列した凸凹面４２を具えた枢接部４１を具えてなる。
【００２５】
該ハンドル部５０は、前方端縁部に枢接するための凹溝５１を形成し、枢接部４１に枢接するために供する。
【００２６】
該枢接部４１は、駆動ヘッド４０の側面から横方向に形成された貫通孔４１１を設けてなる。
【００２７】
該凹溝５１は、両側の突出した凸部上に該貫通孔４１１に対応する穿孔５２を設けてなる。
【００２８】
よって、枢接桿６０を穿孔５２と貫通孔４１１に穿設してハンドル部５０と駆動ヘッド４０とを枢接する。
【００２９】
凹溝５１の底部には垂直な長手方向にガイド孔５４を設けてなる。該ガイド孔５４は係止ブロック７０を設けて滑動するために供する。
【００３０】
また、ハンドル部５０の側面から横向きに孔５３が形成され、該孔５３はガイド孔５４を貫通し、それ以上に深く形成する。
【００３１】
よって、該孔５３にはバネ８１と押圧桿８２を設ける。
【００３２】
該押圧桿８２は外周面に斜面を呈したガイド面８２１を凹設する。
【００３３】
該係止ブロック７０は、円形の桿体であって、該係止ブロック７０の一端と他端とがいずれも斜面を具えて尖った状態に形成され、第一斜面７１と、第二斜面７２とに形成される。
【００３４】
一端と他端の第一、第二斜面７１、７２とは互いにに９０度向きを変えて縦と横に設けられる。
【００３５】
斜面を呈するガイド面８２１は係止ブロック７０の底端の第二斜面７２の位置に設けられ係止ブロック７０の上端に形成された第一斜面７１を駆動して駆動ヘッド４０の凸凹面４２に噛合させる。
【００３６】
前述のように、係止ブロック７０を簡単に設けることができ、係止ブロック７０と押圧桿８２とを互いに正しくガイドして更に正確に噛合することができる。
【００３７】
また、構造が簡単なため、生産工程を簡素化し、産業効率と利益を高めることができる。
【００３８】
図６、７に開示するように、第一斜面７１が押圧桿８２のガイド面８２１に押し圧されて凸凹面４２の歯型溝に正確に噛合される。
【００３９】
押圧桿８２は、バネ８１の弾性力で固定の圧力を維持し、ガイド面８２１を通じて係止ブロック７０に伝達される。
【００４０】
ガイド面８２１は同時に係止ブロック７０の第二斜面７２を正しい位置にガイドする。
【００４１】
図８、９に開示するように、押圧桿８２のガイド面８２１に対向する側に斜面を具えたガイド面８２２を設けてなる。
【００４２】
該ガイド面８２２とガイド面８２１との間には凹部８２３が形成される。
【００４３】
ガイド面８２２と第二斜面７２の両斜面は同じ傾斜度を具えてなる。
【００４４】
よって、押圧桿８２に圧力を加えると、第二斜面７２の先端７２１がちょうど凹部８２３に設けられる。
【００４５】
また、ガイド面８２２がちょうど係止ブロック７０の第二斜面７２の斜面に貼着して正しくガイドされ、第一斜面７１の先端７１１が凸凹面４２の歯型溝に平行に設けられる。
【００４６】
この考案のレンチは、係止ブロックの二つの端縁部に斜面を具えてなり、該斜面が係止ブロックの両端がそれぞれ縦横にたがえて設けられているため、係止ブロックのどちらか一方の端縁部を設ければよい。
【００４７】
よって、係止ブロックの上下を誤って挿入するなどの問題がなく、組み合わせが便利である。
【００４８】
押圧桿と係止ブロックの斜面がいずれも互いに正しくガイドするために供するため、係止ブロックの斜面が凸凹面と容易に噛合され、押圧桿が毎回同時に正しい方向にガイドされ、角度を位置決めする状況が発生しない。
【００４９】
この考案のレンチは、係止ブロックが構造において重要な働きを有し、且つ係止ブロックの両端が斜面に形成され、押圧桿がガイド面の斜面とガイド面の斜面とに合わせてガイド面とガイド面の正しいガイドで的確に噛合して角度を位置決めすることができる。
【００５０】
上述の通り、組み合わせが便利で構造が簡単であるため、生産工程を短縮できるとともに、生産効率、利益を高めることができる構造からなる。２
【００５１】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００５２】
【図１】従来のレンチを示した分解図である。
【図２】図１に開示するレンチを位置決めした状態を示した断面図である。
【図３】図１に開示するレンチの操作方法を示した説明図である。
【図４】この考案のレンチを示した斜視図である。
【図５】この考案のレンチを示した分解図である。
【図６】この考案のレンチを位置決めした状態を示した断面図である。
【図７】この考案のレンチを位置決めした状態を示した断面図である。
【図８】この考案のレンチを示した説明図である。
【図９】この考案のレンチを示した断面図である。
【符号の説明】
【００５３】
１０       駆動ヘッド
１１       枢接部
１１１     貫通孔
１２       凸凹面
１３       係止ブロック
１３１     円形ヘッド端
１３２     噛合端
２０       ハンドル部
２１       凹部
２２       孔
２３       横孔
２４       ガイド孔
３０       枢接桿
３１       バネ
３２       押圧桿
３２１     ガイド面
４０       駆動ヘッド
４１       枢接部
４１１     貫通孔
４２       凸凹面
５０       ハンドル部
５１       凹溝
５２       穿孔
５３       孔
５４       ガイド孔
６０       枢接桿
７０       係止ブロック
７１       第一斜面
７１１     先端
７２       第二斜面
７２１     先端
８１       バネ
８２       押圧桿
８２１     ガイド面
８２２     ガイド面
８２３     凹部
【図１】
0003160087.tif 000003
【図２】
0003160087.tif 000004
【図３】
0003160087.tif 000005
【図４】
0003160087.tif 000006
【図５】
0003160087.tif 000007
【図６】
0003160087.tif 000008
【図７】
0003160087.tif 000009
【図８】
0003160087.tif 000010
【図９】
0003160087.tif 000011